(57)【要約】【課題】受水容器が満水になった状態での不用意な移動等による振動が加わった場合に、露受け皿又は受水容器からの水漏れを防止することができる除湿機を提供する。【解決手段】ケース内に吸込まれる空気中の水分が結露して生じた水を排出する排水口１２と、排水口１２から排水されたドレン水を受ける受水容器７と、排水口１２を開閉させる排出弁２０とを備える除湿機において、排出弁２０は、振動が加わった場合に、排水口１２を閉止する。受水容器７は、突起部１７と反対側の側壁が、ケース１ａの内壁と隙間を隔てて対設されている。【選択図】図１
2013226484.tif 000002
【特許請求の範囲】
【請求項１】
ケース内に吸込まれる空気中の水分が結露して生じた水を排出する排水口と、該排水口から排水された水を受ける受水容器と、前記排水口を開閉させる排出弁とを備える除湿機において、
前記排出弁は、振動が加わった場合に、前記排水口を閉止するようにしてあることを特徴とする除湿機。
【請求項２】
前記排水口が開状態にある場合に、水を前記排水口から前記受水容器に導く導水路を備え、
該導水路は、一部によって前記排出弁の弁体部を構成してあることを特徴とする請求項１に記載の除湿機。
【請求項３】
前記受水容器は、前記導水路の移動に連動して開閉し且つ開状態で前記導水路を通じて排水される水の受け入れを許容する流入弁を備えることを特徴とする請求項２に記載の除湿機。
【請求項４】
前記流入弁は、前記導水路が前記排水口と前記受水容器とを繋ぐ位置に進入するか、又は該位置から退出する移動に応答して、前記受水容器に形成された流入孔を開閉するようにしてあることを特徴とする請求項３に記載の除湿機。
【請求項５】
加わった振動を検知する振動検知手段と、
前記排出弁を駆動して前記排水口を開閉する弁駆動手段と、
前記振動検知手段の検知結果に基づいて前記弁駆動手段を制御する制御手段と
を備えることを特徴とする請求項１から４の何れか一つに記載の除湿機。
【請求項６】
前記受水容器の側壁と、前記ケースの内壁との間に、隙間が設けられていることを特徴とする請求項１から５の何れか一つに記載の除湿機。
【請求項７】
前記受水容器は外方に突出する突起部を備え、
前記排出弁は該突起部と係合可能なアームを備え、
前記排出弁は、前記突起部と前記アームとの係合離脱により、前記排水口を開閉するようにしてあり、
振動が加わった場合に、前記突起部と前記アームとが離脱する構成としてあることを特徴とする請求項１から４の何れか一つに記載の除湿機。
【請求項８】
前記受水容器は、前記突起部と反対側の側壁が、前記ケースの内壁と隙間を隔てて対設されていることを特徴とする請求項７に記載の除湿機。
【発明の詳細な説明】
【技術分野】
【０００１】
本発明は、ケース内に吸込まれる空気を除湿して吹き出す除湿機に関する。
【背景技術】
【０００２】
従来の除湿機は、ケース内に蒸発器、凝縮器及び送風機を備える。送風機の運転により、外部の空気はケース内に吸込まれ、蒸発器との接触により冷却され、結露されて除湿され、凝縮器に接触して吹き出される。ケース内には、露受け皿及び受水容器を設けてある。蒸発器で結露したドレン水は、一旦、露受け皿に受けられ、露受け皿に備わる排水口を通じて受水容器に排出され、該受水容器内に貯水される（特許文献１〜５参照）。
【０００３】
また、特許文献３、４の除湿機は、更に、受水容器の除湿機本体内への出し入れに連動して排水口を開閉する排水口開閉手段を備えている。排水口開閉手段は、受水容器の出し入れと連動するレバーと、排水口に対向する弾力性を有したパッキンとを備える。特許文献３、４の除湿機は、受水容器を取り外した際に、排水口開閉手段の動作により排水口を閉止する可能なことである。
【０００４】
特許文献５の除湿機は、受水容器の側面にドレン水の入水口が設けてある。露受け皿の排水口は、受水容器の入水口に対向する位置に設けてあり、排水口と入水口との間に導水路が設けてある。このような除湿機は、ケースの上方から取り出すことができ、また、露受け皿からのドレン水が、導水路を介して受水容器に導かれるため、排出口から直接に滴下することはない。
【先行技術文献】
【特許文献】
【０００５】
【特許文献１】特開２００１−９９４４１号公報
【特許文献２】特開２００２−３４９８９９号公報
【特許文献３】特開平９−８９２９５号公報
【特許文献４】特開２０００−２４０９７５号公報
【特許文献５】特開２００６−２１２５１０号公報
【発明の概要】
【発明が解決しようとする課題】
【０００６】
しかし、以上のような構成された従来の除湿機では、受水容器が満水になった状態で放置されている場合に、不用意な移動等により除湿機に振動が加わったとき、露受け皿又は受水容器内の水が漏れ、除湿機の内部が汚れるという課題がある。
【０００７】
本発明の目的は、ドレン水が排水口から受水容器へ排水される構造を有する除湿機において、受水容器が満水になった状態で振動が加わっても、露受け皿又は受水容器内の水が漏れないようにする除湿機を提供することである。
【課題を解決するための手段】
【０００８】
本発明に係る除湿機は、ケース内に吸込まれる空気中の水分が結露して生じた水を排出する排水口と、該排水口から排水された水を受ける受水容器と、前記排水口を開閉させる排出弁とを備える除湿機において、前記排出弁は、振動が加わった場合に、前記排水口を閉止するようにしてあることを特徴とする。
【０００９】
本発明では、振動が除湿機に加わった場合に、排出弁により排水口を閉止させることで、ドレン水が排水口から漏れることを防止することが可能である。
【００１０】
本発明に係る除湿機は、前記排水口が開状態にある場合に、水を前記排水口から前記受水容器に導く導水路を備え、該導水路は、一部によって前記排出弁の弁体部を構成してあることを特徴とする。
【００１１】
本発明では、排水口が開状態にある場合に水を排水口から受水容器に導く導水路を備えるため、排水口から排出されたドレン水が滴下することはなく、受水容器に導かれることが可能である。また、排出弁の弁体部は、導水路の一部によって構成されたため、導水路に連動して開閉することができると共に、専用の部材で弁体部を構成する必要がなく、部品点数の削減と構造の簡素化を図ることができる。
【００１２】
本発明に係る除湿機は、前記受水容器は、前記導水路の移動に連動して開閉し且つ開状態で前記導水路を通じて排水される水の受け入れを許容する流入弁を備えることを特徴とする。
【００１３】
本発明では、受水容器は、導水路の移動に連動して開閉し且つ開状態で前記導水路を通じて排水される水の受け入れを許容する流入弁を備えるため、簡単な構造で導水路からのドレン水の流入を制御することが可能である。
【００１４】
本発明に係る除湿機は、前記流入弁は、前記導水路が前記排水口と前記受水容器とを繋ぐ位置に進入するか、又は該位置から退出する移動に応答して、前記受水容器に形成された流入孔を開閉するようにしてあることを特徴とする。
【００１５】
本発明では、流入弁により、導水路が排水口と受水容器とを繋ぐ位置に進入するか、又は該位置から退出する移動に応答して、受水容器に形成された流入孔を開閉させることで、振動が加わった場合に、流入弁は排出弁の閉止に連動して閉止されるため、水が受水容器から漏れることを防止することが可能である。
【００１６】
本発明に係る除湿機は、加わった振動を検知する振動検知手段と、前記排出弁を駆動して前記排水口を開閉する弁駆動手段と、前記振動検知手段の検知結果に基づいて前記弁駆動手段を制御する制御手段とを備えることを特徴とする。
【００１７】
本発明では、振動検知手段により加わった振動を検知した場合、弁駆動手段により排出弁を駆動して排水口を開閉し、制御手段の動作により弁駆動手段を制御することで排出弁を駆動し、排水口を閉止することができ、簡単な構造で本発明の除湿機を実現することが可能である。
【００１８】
本発明に係る除湿機は、前記受水容器の側壁と、前記ケースの内壁との間に、隙間が設けられていることを特徴とする。
【００１９】
本発明では、受水容器の側壁とケースの内壁との間に隙間が存在するため、軽度の振動であれば、ケースに加わった振動が、直接に受水容器に伝わることなく、受水容器の姿勢が維持される。
【００２０】
本発明に係る除湿機は、前記受水容器は外方に突出する突起部を備え、前記排出弁は該突起部と係合可能なアームを備え、前記排出弁は、前記突起部と前記アームとの係合離脱により、前記排水口を開閉するようにしてあり、振動が加わった場合に、前記突起部と前記アームとが離脱する構成としてあることを特徴とする。
【００２１】
本発明では、受水容器が外方に突出する突起部を備え、排出弁が該突起部と係合可能なアームを備え、突起部とアームとの係合・離脱させることで、排水口を開閉させる構造により、除湿機に振動が加わった際に、自動的にアームを介して排出弁を回動させて、排水口を閉止させることが可能である。
【００２２】
本発明に係る除湿機は、前記受水容器は、前記突起部と反対側の側壁が、前記ケースの内壁と隙間を隔てて対設されていることを特徴とする。
【００２３】
本発明では、受水容器の突起部と反対側の側壁とケースの内壁との間に隙間が存在するため、軽度の振動であれば、ケースに加わった振動が、直接に受水容器に伝わることなく、受水容器の姿勢が維持される。また、少し強い振動が加わった場合には、受水容器が突起部と逆方向、即ち隙間の方向に揺れることにより、突起部とアームとの係合を解消して、排出弁に排水口を閉止させることが可能である。
【発明の効果】
【００２４】
本発明によれば、露受け皿に集められた水を受水容器に排水する構造を有する除湿器において、不用意な移動等による振動が加わった場合に、露受け皿及び受水容器内の水が漏れることを防止することができる。
【図面の簡単な説明】
【００２５】
【図１】本発明の実施の形態１に係る除湿機の正面断面図。
【図２】本発明の実施の形態１に係る除湿機の正面断面図。
【図３】図１に示す除湿機のIII−III線による側断面図。
【図４】本発明の実施の形態１における導水路及び周辺構造を示す側面図。
【図５】本発明の実施の形態１における導水路及び周辺構造を示す正面図。
【図６】受水容器が備える流入弁の一例を示す側面断面図。
【図７】本発明の実施の形態２に係る除湿機の正面断面図。
【図８】本発明の実施の形態２における導水路及び周辺構造を示す側面図。
【発明を実施するための形態】
【００２６】
（実施の形態１）
図１及び図２は本発明の実施の形態１に係る除湿機１の正面断面図であり、図３は図１に示す除湿機１のIII−III線による側断面図である。また、図１は図３中のI−I線による断面図であり、排出弁２０が開弁状態にある除湿機１を示している。図２は排出弁２０が閉弁状態にある除湿機１を示している。
【００２７】
図１〜図３に示すように、除湿機１は、ケース１ａ内に、蒸発器２、凝縮器３、圧縮機４、送風機５、露受け皿６及び受水容器７を備えている。ケース１ａは、一面に設けた脚３６により床面上に支持し、図示のような姿勢で使用される。以下の説明では、使用状態での上、下を使用する。
【００２８】
ケース１ａ内には、正面（前面）の上下に蒸発器２及び凝縮器３を夫々に収容する蒸発器室３７及び凝縮器室３８、背面（後面）の上部に送風機５を収容する送風機室３９が設けられている。送風機室３９は、蒸発器室３７及び凝縮器室３８内に半部を開口させた吸気口５ｃと、ケース１ａの上面に開設された空気吹き出し口１０とを連通するように設けられている。送風機５は、吸気口５ｃに吸込側を臨ませて送風機室３９内に取り付けたシロッコファンである。
【００２９】
圧縮機４は、ケース１ａの背面側内部に送風機室３９の下に位置する圧縮機室４５内に収容されており、蒸発器２及び凝縮器３に冷媒管（図示せず）を介して接続されている。圧縮機４が駆動された場合には、蒸発器２及び凝縮器３内を冷媒が流れる。
蒸発器２の下部には、蒸発器２で結露して生じたドレン水を受ける露受け皿６が蒸発器室３７の底面を覆うように設置されている。露受け皿６は一体に形成された排水管１１を有する。排水管１１の先端部には、排水口１２が形成されている。排水口１２の近傍には、排水口１２を開閉する排出弁２０と、排水口１２が開状態にある場合に、排水口１２から排出されたドレン水を受水容器７に導く導水路１３とが設けられている。本実施の形態では、導水路１３は、一部によって排出弁２０の弁体部２１を構成する。
【００３０】
図１及び図２に示すように、蒸発器室３７及び凝縮器室３８の一側のケース１ａ内部には、受水容器室４６が設けられている。受水容器室４６は上部に開口を備えている。受水容器室４６内には、排水口１２から排出されたドレン水を受ける受水容器７が設けられている。受水容器７は、上部に把手１５を備えており、受水容器室４６の上部開口から把手１５を把持してケース１ａの上方へ引くことで、取り出し可能である。受水容器７は窓部１６を有する。窓部１６は、排水口１２、導水路１３と上下位置が対応するように設けてある。窓部１６には、後述する流入弁４０（図６参照）が設けられている。
【００３１】
送風機５が駆動された場合、外部の空気は、送風機５の羽根の回転による吸い込み作用に基づいて空気吸い込み口９からケース１ａ内に吸い込まれ、蒸発器２に触れて冷却されて水分を結露させることにより除湿された後、凝縮器３を通過してきた空気と合流し、乾燥した空気となって空気吹き出し口１０から吹き出される。蒸発器２で結露して生じたドレン水は、露受け皿６に落下し、露受け皿６の排水口１２から導水路１３に滴下し、導水路１３を経て受水容器７に溜められる。
【００３２】
図４は本発明の実施形態１における導水路１３及び周辺構造を示す側面図である。図５は本発明の実施形態１における導水路１３及び周辺構造を示す正面図である。実施の形態１では、排出弁２０と導水路１３とは、図４及び図５に示すように、一体的に構成されているが、別体に構成されても良い。導水路１３は、支持部２２によって回動可能に支持されている。支持部２２は、排水口１２の付近に、露受け皿６の底面から延設したブラケット３０を有し、ブラケット３０に支持され且つ前後方向の軸線を有する回転軸３１にて、導水路１３を可動可能に支持している。ブラケット３０の係止部分３４及び導水路１３の係止部分３５には、付勢バネ３３が架設されている。導水路１３及び排出弁２０は、付勢バネ３３により時計方向へ付勢される。
【００３３】
導水路１３は、一方向が開口状態の容器形状をなし、一部が弁体部２１として構成された水路底部２３と、ドレン水を受水容器７へ注ぐ注ぎ口である開口先端２７とを備えている。水路底部２３の三面は、上方に立壁とした三角形状の両側壁２４，２５と、矩形の後壁２６とで囲まれている。排出弁２０の弁体部２１は、水路底部２３に底面より一段低い凹部２８を形成しておき、凹部２８にゴム製のパッキン２９を装填して構成されている。
【００３４】
排出弁２０はアーム３２を備える。アーム３２は、水路底部２３の後壁２６側から開口先端２７側且つ下方へやや傾けて延び出すように形成されており、先端部の形状がＲ状のコーナ部となっている。
【００３５】
受水容器７は上下方向に長い形状を有する直方体の中空容器であり、内部に貯水部１４が形成されており、図１に示す状態では略満タンの貯水状態にある。受水容器７は、把手１５を含めて受水容器室４６の高さ範囲内に収納される。受水容器７には、窓部１６の下縁部分から外方に突出する突起部１７が設けられている。突起部１７は、後述するように、受水容器７の上下方向の出し入れに伴ってアーム３２と係合離脱可能である。
【００３６】
図６は、受水容器７が備える流入弁４０の一例の側面断面図である。図６に示すように、受水容器７には、窓部１６から連続する有底筒体７ｂが設けられている。有底筒体７ｂは、受水容器７の側壁７ａの一部を内側に窪ませて斜め下方に延びるように構成されている。有底筒体７ｂ内には流入弁４０が構成されている。流入弁４０は、導水路１３の移動に連動して開閉し、開状態で導水路１３を通じて排水されるドレン水の受け入れを許容するものである。
【００３７】
有底筒体７ｂの中途には、対向する２つの流入孔４２，４２が設けられている。流入孔４２，４２は有底筒体７ｂの周壁を貫通し、軸方向に延びる長孔であり、後述する流入弁体４１の移動を案内するガイド機能と、ドレン水の受け入れを許容する弁通路機能とを兼ねている。流入弁４０の内部は、有底筒体７ｂの軸方向に沿って移動する流入弁体４１を有する。流入弁体４１は有底筒体７ｂの底との間に介装したバネ４３により有底筒体７ｂの開口側に向けて付勢されている。流入弁体４１は開口側に向けて凸となる湾曲形状を有し、両端部が流入孔４２，４２内に挿入してある。流入弁体４１はバネ４３の付勢力で開口側に移動すると、流入孔４２，４２は閉止され、ドレン水の流入を禁止する状態となる。流入弁体４１は中央部に開口側に向けて突出する係合駒４４を備えている。
【００３８】
図１に示すように、受水容器７を上方から受水容器室４６内に下降させて装着させる場合には、突起部１７はアーム３２に係合して、アーム３２を押し下げて下方へ回動させる。アーム３２の下方への回動に連れて、弁体部２１は排水口１２より離れ、排出弁２０は開弁状態になる。導水路１３は開口先端２７を下向きとした斜め姿勢となり、排水口１２と受水容器７とを繋ぐ導水位置になる。開口先端２７は、有底筒体７ｂ内へ入り、係合駒４４に当たり、バネ４３の付勢力に抗して流入弁体４１を有底筒体７ｂの内部へ押し込む。流入弁体４１は流入孔４２，４２に案内されて流入孔４２，４２内を移動する。このように、流入弁４０は導水路１３の上記移動に応答して流入孔４２，４２を開く。除湿機１がこのような状態で運転された場合、露受け皿６が受けたドレン水は、開状態の排水口１２から、導水路１３上に落ち、導水路１３の水路底部２３を流れて、開となった流入孔４２（通常、下側の流入孔）を通じて受水容器７内に注がれる。
【００３９】
受水容器７が満水になると、受水容器７に設けられている水位検知装置（図示せず）が作動し、除湿運転が停止されるとともに表示部（図示せず）において満水ランプが点灯表示される。ユーザは、満水ランプの点灯報知により、受水容器７が満水であることを認識する。ユーザは把手１５を持って、受水容器７をケース１ａの上方へ引き上げることでケース１ａから取り外す。
【００４０】
図２に示すように、受水容器７をケース１ａから引き上げる場合には、突起部１７によるアーム３２の押さえは解消され、導水路１３及び排出弁２０は、付勢バネ３３の付勢力によって閉弁方向へ撥ね上げられる。これにより、導水路１３は導水位置から退出する。パッキン２９は排水口１２に密着する。受水容器７は、撥ね上げられた導水路１３と接触することなくケース１ａの上方から取り出すことができる。一方、水路底部２３に設けられているゴム製のパッキン２９を付勢バネ３３の付勢力によって排水口１２に押し当てられることにより、排水口１２は閉鎖されて止水される。これにより、露受け皿６内に残っているドレン水は排水口１２から排水されず、ドレン水の滴下で除湿機１の内部を汚すような事態になることを防ぐことができる。
【００４１】
また、導水路１３の導水位置からの退出に連れて、導水路１３の開口先端２７は流入弁４０の係合駒４４から離れる。流入弁４０はバネ４３の付勢力によって流入孔４２，４２を閉止する。これにより、満水になった受水容器７を除湿機１から取り出して運搬するときに、受水容器７は側壁に開いた開口部が無い状態であるので、回収したドレン水が運搬中に溢れることを避けることができる。
【００４２】
なお、図１及び２に示されるように、受水容器７を装着する受水容器室４６は、四方及び底部がケース１ａ及び仕切板１ｂにより囲まれた空間である。受水容器７の突起部１７と反対側の側壁に対向するケース１ａの下端部には、壁厚が上部より厚い部分が設けられている。受水容器７が受水容器室４６内に装着された場合、突起部１７が設けられている側壁の下半部は仕切板１ｂと接しており、突起部１７と反対側の側壁はケース１ａの内壁と隙間を隔てて対設される。
【００４３】
受水容器７の突起部１７と反対側の側壁とケース１ａの内壁との間に隙間が存在することにより、軽度の振動であれば、ケース１ａに加わった振動が、直接に受水容器７に伝わることなく、受水容器７の姿勢が維持される。また、少し強い振動が加わった場合には、受水容器７が図１中の左方向、つまり導水路１３から離れる方向に揺れることができる。これにより、突起部１７とアーム３２との係合が解消され、付勢バネ３３の働きによって導水路１３及び排出弁２０が閉弁方向へ撥ね上げられ、排水口１２が閉状態になる。これにより、ドレン水が露受け皿６から漏れるという不具合を避けることができる。同時に、導水路１３の開口先端２７は流入弁４０の係合駒４４から離れ、流入弁４０はバネ４３の付勢力によって流入孔４２，４２を閉止する。これにより、受水容器７は側壁に開いた開口部が無い状態となるので、満水になっても回収したドレン水が溢れるという不具合を避けることができる。
【００４４】
また、受水容器７が満水になったことを認識して、ユーザが受水容器７を取り出そうとした場合には、把手１５を握る必要があるが、受水容器７は導水路１３から離れる方向のみ変位可能に構造がなされているため、その時の振動によって受水容器７が導水路１３の逆方向に揺れ、突起部１７とアーム３２との係合が解消され、排水口１２が閉状態になる。同時に、導水路１３の開口先端２７は流入弁４０の係合駒４４との係合から外れ、流入弁４０はバネ４３の付勢力によって流入孔４２，４２を閉止する。これにより、露受け皿６内に残っているドレン水は排水口１２から排出されることはなく、また、受水容器７に溜められたドレン水が除湿機１の内部で溢水するような事態になることを防ぐことができる。
【００４５】
（実施形態２）
図７は本発明の実施の形態２に係る除湿機１００を示す正面断面図である。図８は本発明の実施の形態２における導水路１３及び周辺構造を示す側面図である。以降の説明において、実施の形態１と同様の構成については、実施の形態１と同じ符号を用い、その説明を省略する。
【００４６】
図７に示すように、受水容器７の突起部１７と反対側の側壁とケース１ａの内壁との間には、隙間が設けられているが、これに限らず、受水容器７の他の側壁と、対向するケース１ａの内壁との間に隙間を設けても良い。受水容器７の側壁とケース１ａの内壁との間に隙間が存在するため、実施の形態１と同様に、軽度の振動であれば、ケース１ａに加わった振動が、直接に受水容器７に伝わることなく、受水容器７の姿勢が維持される。
また、図７に示すように、仕切板１ｂには、除湿機１００に加わった振動の大きさを検知する振動検知手段８と、受水容器７がケース１ａ内に装着されたか否かを検知する受水容器検知手段１９とが設置されている。受水容器検知手段１９は、例えば公知の光電センサであり、仕切板１ｂに開設された孔（図示しない）を介して受水容器室４６に光を出射して、受水容器７の装着を検知する。振動検知手段８及び受水容器検知手段１９の検知結果は図示しない制御装置に出力される。ここで、振動検知手段８と、受水容器検知手段１９とを仕切板１ｂに設けた場合について説明したが、振動検知手段８と、受水容器検知手段１９とをケース１ａに設けても良い。
【００４７】
図８に示すように、導水路１３及び排出弁２０を回動する弁駆動手段１８は回転軸３１と同軸に配置されている。弁駆動手段１８は、回転軸３１と同軸に連結された小型モータ、特にステッピングモータである。回転軸３１に回転力を加えて導水路１３とを回動させ、排出弁２０を開閉動作させる。制御装置は、振動検知手段８及び受水容器検知手段１９の検知結果に基づいて弁駆動手段１８を制御する。例えば、受水容器検知手段１９により受水容器７が受水容器室４６内に装着されたと検知された場合に、制御装置は排出弁２０を開弁状態にさせるように弁駆動手段１８を駆動する。受水容器検知手段１９により受水容器７が受水容器室４６内から取り出されたと検知された場合に、制御装置は排出弁２０を閉弁状態にさせるように弁駆動手段１８を駆動する。
【００４８】
また、受水容器７が受水容器室４６内に装着されている場合に、振動検知手段８により除湿機１００に振動が加わったと検知された時に、制御装置は振動の大きさを所定値と比較し、振動の大きさが所定値を超えた場合に、排出弁２０を閉弁状態にさせるように弁駆動手段１８を駆動する。これにより、実施の形態２では、受水容器７の突起部１７と係合するアーム３２とを省略して、構造を一層簡単化させることができる。
【００４９】
実施の形態２においては、除湿機１００が運転開始されると、蒸発器２で発生したドレン水が露受け皿６によって集められ、排水口１２から導水路１３を経て受水容器７に導かれる。受水容器７が満水になった状態が図示しない水位検知装置により検知された場合には、運転が停止され、受水容器７が満水であることがユーザに報知される。ユーザが受水容器室４６から受水容器７を取り出した場合には、受水容器検知手段１９受水容器７が受水容器室４６内から取り出されたと検知され、制御装置により弁駆動手段１８が駆動され、導水路１３が導水位置から退出し、露受け皿６の排水口１２と受水容器７の流入孔４２とが閉止される。これにより、回収したドレン水が運搬中に溢れることを避けることができる。
【００５０】
また、ユーザが溜まったドレン水を捨てるために受水容器７の把手１５を把持して受水容器７を取り出す場合には、振動が受水容器７に加わると、振動が振動検知手段８により検知され、即座に弁駆動手段１８が駆動され、導水路１３が導水位置から退出し、露受け皿６の排水口１２と受水容器７の流入孔４２とが閉止される。これにより、ユーザがドレン水を捨てに行く場合でも、露受け皿６及び受水容器７からの水漏れを防止することができる。当然、除湿機１００に外部から衝激が加わったような場合でも、上記動作によって露受け皿６及び受水容器７からの水漏れを防止することができる。
【符号の説明】
【００５１】
１    除湿機
１ａ  ケース
６    露受け皿
７    受水容器
８    振動検知手段
１２  排水口
１３  導水路
１７  突起部
１８  弁駆動手段
２０  排出弁
２１  弁体部
３２  アーム
４０  流入弁
４２  流入孔
【図１】
2013226484.tif 000003
【図２】
2013226484.tif 000004
【図３】
2013226484.tif 000005
【図４】
2013226484.tif 000006
【図５】
2013226484.tif 000007
【図６】
2013226484.tif 000008
【図７】
2013226484.tif 000009
【図８】
2013226484.tif 000010